(57)【特許請求の範囲】
【請求項１】
字幕情報を含む映像コンテンツが記録される記録手段と、
キーワードを含む検索パラメータが設定される設定手段と、
前記映像コンテンツから、前記キーワードが字幕に表示される区間を含むチャプタを抽出するチャプタ生成手段と、を具備し、
前記チャプタ生成手段が、
前記キーワードを含む字幕が最初に表示される期間の始点位置を前記チャプタの始端に設定し、
前記キーワードを含む字幕が表示されなくなってから、無音区間の出現位置、所定時間経過位置、または、複数のパケットからなる前記映像コンテンツのパケットの終端位置のうち、最初に出現した位置を前記チャプタの終端に設定することを特徴とする映像装置。
【請求項２】
前記チャプタ生成手段が抽出した複数のチャプタを連結してプレイリストを作成するプレイリスト作成手段を具備することを特徴とする請求項１に記載の映像装置。
【請求項３】
前記検索パラメータが、前記映像コンテンツの記録日時、ジャンル、および提供者の少なくともいずれかを含むことを特徴とする請求項２に記載の映像装置。
【請求項４】
前記映像コンテンツの前記字幕情報を解析し、出現回数の多い複数の単語をキーワード候補として抽出するキーワード抽出手段を具備し、
前記設定手段において、前記複数のキーワード候補の中から前記キーワードが設定されることを特徴とする請求項３に記載の映像装置。
【請求項５】
字幕情報を含む映像コンテンツが記録手段に記録されるステップと、
キーワードを含む検索パラメータが設定手段により設定されるステップと、
前記映像コンテンツから、前記キーワードが字幕に表示される区間を含むチャプタがチャプタ生成手段により抽出されるステップと、を具備する映像装置の制御方法であって、
前記チャプタ生成手段が、
前記キーワードを含む字幕が最初に表示される期間の始点位置を前記チャプタの始端に設定し、
前記キーワードを含む字幕が表示されなくなってから、無音区間の出現位置、所定時間経過位置、または、複数のパケットからなる前記映像コンテンツのパケットの終端位置のうち、最初に出現した位置を前記チャプタの終端に設定することを特徴とする映像装置の制御方法。
【発明の詳細な説明】
【技術分野】
【０００１】
本発明の実施形態は、記録部に録画された映像コンテンツからユーザーの興味のあるシーンを抽出する映像装置および前記映像装置の制御方法に関する。
【背景技術】
【０００２】
長時間録画が可能なハードディスク装置等の普及によって、テレビ放送等の映像コンテンツを長時間録画することが一般的になっている。さらに、受信可能な全放送局の全番組を所定時間分だけ録画しておき、後から希望の番組だけを視聴することも広く行われている。
【０００３】
しかし、ユーザーの視聴時間は限られているため、録画された多くの映像コンテンツからユーザーの所望のシーンを容易に抽出する方法が開発されている。
【０００４】
例えば、クラウドに公開されている番組の詳細情報を利用して、ユーザーがキーワード検索すれば、録画番組の中から該当のシーンだけをピックアップすることができる。好きなアーティストの名前等をキーワードに検索すれば、出演シーンおよび出演ＣＭを抽出することができる。
【０００５】
ユーザーは、検索されたシーンが列挙されたシーンリストから見たいシーンを選ぶだけで簡単に所望のシーンを再生できる。さらに、検索されたシーンをプレビュー画面で表示することにより、よりスムーズにシーンが選択できる。
【０００６】
また、キーワード検索には、字幕情報を用いることもできる。すなわち、聴覚障害者が放送番組を楽しめるように、俳優のせりふ、ナレーションおよび効果音などをそのまま字幕として表示するクローズドキャプションが提供されている。クローズドキャプションでは字幕表示のための文字を放送信号に字幕ＥＳ（Ｅｌｅｍｅｎｔａｌｙ  Ｓｔｒｅａｍ）として重畳しておくことで、ユーザー設定に応じて、映像に同期した字幕を表示する。字幕ＥＳの文字情報をもとに検索する場合には、クラウド等への接続は不要である。
【０００７】
しかし、従来の検索ではシーンリストは各シーンの始端情報しか有していない。このため、ユーザーはシーンを選択することで、所望のカットから視聴開始することはできるが、カットがキーワードと関係のある映像から関係の無い映像に変更になっても、映像は再生され続ける。また、次の検索されたシーンを視聴開始するには、表示されているシーンの表示終了操作を行ってから、再びシーンリストから選択操作を行う必要があった。
【先行技術文献】
【特許文献】
【０００８】
【特許文献１】特開２０１３−１７２３８１号公報
【発明の概要】
【発明が解決しようとする課題】
【０００９】
本発明の実施形態は、利便性のよい映像装置および映像装置の制御方法を提供することを目的とする。
【課題を解決するための手段】
【００１０】
本発明の一態様の映像装置は、字幕情報を含む映像コンテンツが記録される記録手段と、キーワードを含む検索パラメータが設定される設定手段と、前記映像コンテンツから、前記キーワードが字幕に表示される区間を含むチャプタを抽出するチャプタ生成手段と、を具備し、
前記チャプタ生成手段が、前記キーワードを含む字幕が最初に表示される期間の始点位置を前記チャプタの始端に設定し、前記キーワードを含む字幕が表示されなくなってから、無音区間の出現位置、所定時間経過位置、または、複数のパケットからなる前記映像コンテンツのパケットの終端位置のうち、最初に出現した位置を前記チャプタの終端に設定する。
【００１１】
本発明の一態様の映像装置の制御方法は、字幕情報を含む映像コンテンツが記録手段に記録されるステップと、キーワードを含む検索パラメータが設定手段により設定されるステップと、前記映像コンテンツから、前記キーワードが字幕に表示される区間を含むチャプタがチャプタ生成手段により抽出されるステップと、を具備する映像装置の制御方法であって、
前記チャプタ生成手段が、前記キーワードを含む字幕が最初に表示される期間の始点位置を前記チャプタの始端に設定とし、前記キーワードを含む字幕が表示されなくなってから、無音区間の出現位置、所定時間経過位置、または、複数のパケットからなる前記映像コンテンツのパケットの終端位置のうち、最初に出現した位置を前記チャプタの終端に設定する。
【図面の簡単な説明】
【００１２】
【図１】第１実施形態の映像装置の構成図である。
【図２】放送信号の構造を説明するための図である。
【図３】第１実施形態の映像装置の制御方法を説明するためのフローチャートである。
【図４】第１実施形態の映像装置のメニュー画面である。
【図５】第１実施形態の映像装置の検索設定画面である。
【図６Ａ】第１実施形態の映像装置のチャプタ設定方法を説明するための図である。
【図６Ｂ】第１実施形態の映像装置のチャプタ設定方法を説明するための図である。
【図６Ｃ】第１実施形態の映像装置のチャプタ設定方法を説明するための図である。
【図７】第１実施形態の映像装置のチャプタ、および、プレイリストを説明するための図である。
【図８】第２実施形態の映像装置の構成図である。
【図９】第２実施形態の映像装置の制御方法を説明するためのフローチャートである。
【図１０】第２実施形態の映像装置の検索設定画面である。
【図１１】第２実施形態の映像装置のキーワード候補表示画面である。
【発明を実施するための形態】
【００１３】
＜第１実施形態＞
図１に示すように本実施形態の映像装置１は、信号処理部１０と、コンテンツ記録部１１と、モニタ１２と、設定部１３と、リモコン１４と、字幕解析部１５と、チャプタ生成部１６と、プレイリスト作成部１７と、チャプタ記録部１８と、制御部１９とを具備するテレビジョン受信機である。なお、コンテンツ記録部１１およびモニタ１２の少なくともいずれかは、いわゆる外付けであってもよい。
【００１４】
信号処理部１０は放送信号を受信し映像コンテンツに復号処理するとともに、映像信号／音声信号／字幕信号に分離する。すなわち、信号処理部１０はチューナー機能も有するが、信号処理機能部とチューナー機能部とは独立した構成要素であってもよい。放送信号は、放送局からの無線伝送もしくはケーブルによる有線伝送による信号、外部サーバーからのインターネット回線により伝送による信号、または、ＤＶＤもしくはメモリーカード等の記録メディア等から入力される。
【００１５】
コンテンツ記録部１１は、字幕情報を含む複数の映像コンテンツ（番組）が記録される記録手段である。コンテンツ記録部１１は、ハードディスク装置、不揮発性半導体メモリを有するシリコンディスク装置、または、書き込み可能ＤＶＤ等の記録メディアであり、電力が供給されていない状態でも記録された映像信号が消失することのない非一時的な情報記録装置である。コンテンツ記録部１１は複数の記録装置、例えば、１台の内蔵ハードディス装置と２台の外付けハードディスク装置とから構成されていてもよい。
【００１６】
モニタ１２は、液晶、ＥＬ（エレクトロミネッセンス）、プラズマディスプレイ、ＳＥＤ（表面電界ディスプレイ）、ビデオプロジェクタ、リアプロジェクション（背面投影型）、またはブラウン管（平面型を含む）などである。
【００１７】
設定部１３は、ユーザーが操作するリモコン１４等により各種の設定、例えば、キーワードを含む検索パラメータが設定される設定手段である。字幕解析部１５は、字幕信号を解析しキーワードが含まれる字幕を抽出する。
【００１８】
チャプタ生成部１６は、映像コンテンツからキーワードが字幕に表示される区間（カット）を含むチャプタを抽出するチャプタ生成手段である。チャプタは映像コンテンツの一部区間を特定する情報で、始端位置情報と終端位置情報とを含む。プレイリスト作成部１７は、チャプタ生成部１６が抽出した複数のチャプタを連結してプレイリストを作成するプレイリスト作成手段である。プレイリストを用いることで、ユーザーはプレイリストに含まれる複数のチャプタを連続して視聴することができる。
【００１９】
チャプタ記録部１８は、チャプタ生成部１６が抽出したチャプタおよびプレイリスト作成部１７が作成したプレイリストの少なくともいずれかを記憶する。制御部１９は、映像装置１の全体動作を制御する。チャプタ記録部１８はコンテンツ記録部１１と共用の記録装置でもよいし、ＲＡＭ等の一時的記録部であってもよい。
【００２０】
なお、信号処理部１０、設定部１３、字幕解析部１５、チャプタ生成部１６、プレイリスト作成部１７、および制御部１９は、ＣＰＵ等の半導体からなるが、１つのＣＰＵが複数の機能部を構成していてもよい。逆に１つの機能部が複数のＣＰＵから構成されていてもよい。
【００２１】
次に、図２を用いて放送信号の構成について説明する。放送信号は、複数のコンテンツから構成されている。それぞれのコンテンツが１つの番組の場合もあるし、１つの番組が複数のコンテンツに分割されている場合もある。また、分割された番組のコンテンツの間に、コマーシャル等の別の内容のコンテンツが挿入されている場合もある。
【００２２】
コンテンツは、適当な大きさの複数のパケットから構成されている。パケットでは、情報を示すＰＭＴ（Program Map Table）の下に、映像信号、音声信号、字幕信号が多重化されている。
【００２３】
ここで、番組は、複数の「カット」で構成されている。「カット」は連続して撮影された映像、または、連続して撮影された映像が短く編集された映像である。字幕は、複数のカットにまたがって表示される場合もある。例えば、図２に示したカットＣ２には、２つの字幕２、字幕３が順に表示される。
【００２４】
次に、図３のフローチャートに沿って、映像装置１の制御方法について説明する。
【００２５】
＜ステップＳ１１＞
信号処理部１０が、例えば、受信アンテナを介して入力された放送信号を受信し、その放送信号に対して復号処理を行うとともに、多重化されていた映像信号／音声信号／字幕信号を分離する。
【００２６】
信号処理部１０が処理した放送信号は、ハードディスク装置等のコンテンツ記録部１１に録画される。
【００２７】
なお、複数のチューナーを有する信号処理部１０は、同時に受信された複数の放送局の放送信号を処理することもできる。そして、コンテンツ記録部１１は、信号処理部１０が受信した全ての放送、例えば、地上デジタル放送６チャンネル分の全放送を７２時間分、録画することができる記録容量を有する。コンテンツ記録部１１は記録スペースが無くなると古い番組が記録されている領域に新しい番組を録画することで、常に、最新の７２時間分の番組が録画されている。
【００２８】
＜ステップＳ１２＞
コンテンツ記録部１１に記録されている膨大な番組（コンテンツ）の中から、所望のシーンだけを視聴するための検索条件がユーザーにより、設定部１３に設定される。
【００２９】
例えば、図４に示すメニュー画面から、「キーワード検索」が、ユーザーのリモコン操作により選択される。すると、図５に示す検索条件設定画面がモニタ１２に表示される。検索条件設定画面には、少なくともキーワード、例えば「富士山」が、ユーザーのリモコン操作により設定部１３に設定可能となっている。
【００３０】
多くのコンテンツ、例えば６つの放送局の７２時間分の番組がコンテンツ記録部１１に録画されている場合には、より適切なチャンプタ設定のために、キーワードに加えて追加の検索条件が設定できることが好ましい。
【００３１】
例えば、図５に示した検索条件設定画面では、映像コンテンツの記録（録画）日時（起点〜終点）、ジャンル、および放送局（提供者）が設定される。放送信号またはクラウドを介して取得するジャンルは、ニュース、映画、スポーツ、グルメ等の予め設定されている分類である。
【００３２】
また、番組表から番組（コンテンツ）を選択することもできる。例えば、番組として前日放送されたサッカー中継番組を設定し、キーワードとして選手名を設定することで、その試合の中で好きな選手が活躍しているシーンを抽出できる。
【００３３】
なお、日時、放送局、およびジャンル等が「全て」と設定されている場合には、キーワードだけが検索条件となる。また、複数のキーワードまたはジャンル等が設定される場合には、複数のキーワード等を全て含むＡＮＤ検索、または、いずれかのキーワード等を全て含むＯＲ検索が行われる。
【００３４】
＜ステップＳ１３＞
字幕解析部１５は、コンテンツ記録部１１に記録されたコンテンツのうち、設定部１３で設定されたコンテンツについて、字幕ＥＳを解析し、設定部１３で設定されたキーワードが含まれる字幕を抽出する。キーワード以外の条件が設定されている場合には、その条件に合致するコンテンツについて解析を行う。
【００３５】
図６Ａ〜図６Ｃには、あるパケットの字幕４と字幕５とに、キーワード「富士山」が含まれていた場合を示している。
【００３６】
＜ステップＳ１４＞
設定部１３は、字幕解析部１５が抽出したキーワードが含まれている字幕が表示されている期間の始点位置をチャプタの始端として設定する。
【００３７】
図６Ａ〜図６Ｃでは、キーワードとして、「富士山」が設定されている場合を示している。最初の「富士山」が含まれている字幕４が含まれるカットＣ２の始点位置Ｔ０がチャプタの始端として設定される。すなわち、字幕が表示されている期間として、連続して撮影されたカットを基準にしている。字幕が表示されている期間として、字幕そのものを基準にしてもよい。ただし、カットを基準にすることで、ユーザーが、より自然に感じるチャプタを設定できる。
【００３８】
＜ステップＳ１５＞
そして、図６Ａ〜図６Ｃに示すように、チャプタ生成部１６は、キーワードを含む字幕が表示されなくなってから、（ケースＡ：図６Ａ）無音区間の出現位置Ｔ２、（ケースＢ：図６Ｂ）所定時間Ｔｓｅｔ経過した位置Ｔ３、または、（ケースＣ：図６Ｃ）パケットの終端位置Ｔ４のうち、最初に出現した位置をチャプタの終端とする。
【００３９】
図６Ａに示すケースＡでは、Ｔ２がＴ３、Ｔ４より早い。このため、チャプタ生成部１６は、キーワードを含む字幕が表示されなくなってから（Ｔ１）、無音区間が出現すると、出現した位置（Ｔ２）をチャプタの終端として設定する。すなわち、設定部１３は、音声が途切れる無音区間は、キーワードである「富士山」とは異なる話題に移行したと見なす。
【００４０】
図６Ｂに示すケースＢでは、Ｔ３がＴ２、Ｔ４より早い。このため、キーワードを含む字幕５が表示されなくなってから（Ｔ１）、所定時間Ｔｓｅｔ（例えば、３分間）経過した場合には、所定時間経過位置（Ｔ３）を設定部１３は、チャプタの終端として設定する。すなわち、設定部１３は、所定時間経過すると異なる話題に移行したと見なす。
【００４１】
コンテンツ中にはキーワードを含む字幕が、続けて、または、短時間の間に何回も表示されることが多いと考えられる。図６Ｂに示すように、終端位置となる場所が検知される前に、キーワードを含む字幕が再び表示される場合には、最後にキーワードを含む字幕５が表示されたカットＣ３が所定時間の算出始点となる。
【００４２】
なお、所定時間の始点は、最後に表示されたキーワードを含む字幕の終点（Ｔ１）ではなく、始点（Ｔ１Ａ）であってもよいし、チャプタの始端Ｔ０であってもよい。
【００４３】
そして、図６Ｃに示すケースＣでは、Ｔ４が、Ｔ２、Ｔ３より早い。無音区間出現（Ｔ２）、および、キーワードを含む字幕５が表示されなくなってから所定時間Ｔｓｅｔ経過する（Ｔ３）前に、映像コンテンツのパケットの終端位置（Ｔ４）が出現する場合には、パケットの終端位置（Ｔ４）を設定部１３は、チャプタの終端として設定する。パケットの終端位置（Ｔ４）は、次のパケットの始点であり、ＰＭＴが変化する位置である。
【００４４】
＜ステップＳ１６＞
設定部１３で設定されたコンテンツについてのチャプタ抽出が終わるまで、ステップＳ１４からのチャプタ抽出処理が繰り返し行われる。
【００４５】
図７、Ｘに示すように、映像装置１では、キーワードが字幕に表示される区間の始端情報だけでなく、終端情報も含む区間が抽出され、例えば、３つのチャプタ１〜３が設定される。
【００４６】
例えば、チャプタ１〜３のプレビュー画像がモニタ１２にリスト表示される。チャプタ数が多い場合には、追加検索条件を入力して再検索を行うように構成されていてもよい。
【００４７】
ユーザーが、キーワード検索結果として、モニタ１２に表示されるチャプタを選択することで、コンテンツのキーワードと関係のある区間の再生が開始され、キーワードと関係のある区間が終了すると、再生は自動的に終了する。
【００４８】
なお、映像装置１では、チャプタ１〜３を表示しないで、自動的にステップＳ１７のプレイリスト作成ステップに移行してもよい。ただし、プレイリスト作成部１７は映像装置１の必須の構成要素ではない。キーワードが字幕に表示される、始端情報だけでなく終端情報も含むチャプタが設定されることで、キーワードと関係のある映像が終了すると、映像再生は自動的に終了する。このため、プレイリストが作成されなくても、映像装置１は利便性がよい。
【００４９】
＜ステップＳ１７＞
プレイリスト作成部１７が、チャプタ生成部１６が抽出した複数のチャプタ１〜３を連結してプレイリストＩ（図７、Ｙ参照）を作成する。
【００５０】
＜ステップＳ１８＞
プレイリストに含まれる複数の区間（チャプタ１〜３）の映像／音声が連続的に自動再生される。すなわち、ユーザーは、１回の検索パラメータ設定操作だけで全てのチャプタを視聴できる。
【００５１】
例えば、キーワードとして、「東京」と設定する１回の検索パラメータ設定操作だけで、コンテンツ記録部１１に記録されている地上デジタル放送６チャンネル分の全放送７２時間の映像の中から、「東京」が字幕に登場する全てのシーン連続して視聴できる。このため、チャプタ生成部１６を具備する映像装置１は特に利便性がよい。
【００５２】
なお、ユーザーがプレイリストの複数のチャプタの中から不要なチャプタを削除したり、プレイリストを結合したりできることが好ましい。また、プレイリストが作成されていることで、プレイリストの映像だけをＤＶＤに記録することもできる。
【００５３】
＜ステップＳ１９＞
ユーザーが、新たなキーワードによる検索を選択する（（Ｓ１８、Ｎｏ）と、ステップＳ１２からの処理が再び行われる。そして、例えば、図７、Ｚに示すように、チャプタ１〜５が連結された新たなプレイリストＩＩが作成される。
【００５４】
なお、ユーザーがプレイリストを不揮発性の記録部のあるチャプタ記録部１８に記録しておくことで、後日、再度、視聴することもできる。
【００５５】
一方、ユーザーが、検索を終了すると（Ｓ１８、Ｙｓｅ）と、検索処理は終了する。
【００５６】
映像装置の制御方法では、ユーザーの嗜好に基づいてチャプタを抽出し、さらにプレイリストを作成する。このため、映像装置の制御方法は利便性が高い。
【００５７】
＜第２実施形態＞
次に第２実施形態の映像装置１Ａについて説明する。映像装置１Ａは映像装置１と類似しているので同じ機能の構成要素には同じ符号を付し説明は省略する。
【００５８】
図８に示すように、映像装置１Ａは、キーワード抽出手段としてキーワード抽出部２０を具備する。キーワード抽出部２０は、映像コンテンツの字幕情報を解析し、出現回数の多い複数の単語をキーワード候補として抽出するＣＰＵからなる。キーワード抽出部２０は、他の機能部、例えば、字幕解析部１５と共通のＣＰＵにより構成されていてもよい。
【００５９】
図９に示したフローチャートにおいて、ステップＳ１２Ａにおいて、キーワード候補抽出処理が行われる。キーワード抽出部２０は、コンテンツ記録部１１に録画されている番組で、話題となっている流行の用語を抽出する。
【００６０】
そして、ステップＳ１２において、ユーザーにより複数のキーワード候補の中からキーワードが選択され設定される。
【００６１】
映像装置１Ａでは、例えば、図１０に示すように、検索条件設定画面のキーワード設定欄に「候補」との選択肢が表示される。ユーザーが、「候補」を選択すると、図１１に示すような、キーワード候補がリスト表示される。図１１に示したキーワード候補表示画面では、キーワード候補が、出現回数とともに、リスト表示されている。
【００６２】
検索条件設定画面において、映像コンテンツの記録等が設定されている場合には、キーワード抽出部２０は、設定された範囲のコンテンツを集合として、キーワード候補を抽出する。
【００６３】
例えば、番組として前日放送されたサッカー中継番組を設定し、キーワード候補を表示することで、活躍した選手の名前等が把握できる。すなわち、字幕に多く登場した選手は活躍した選手と推定される。
【００６４】
映像装置１Ａは、話題となっている映像だけを短時間で視聴できるため、利便性がよい。また、所定の番組（コンテンツ）に検索条件を限定しておくことで、大凡の内容を把握することもできる。
【００６５】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更ができる。これら実施形態やその変形は、発明の範囲や要旨に含まれるとともに、特許請求の範囲に記載された発明とその均等の範囲に含まれる。
【符号の説明】
【００６６】
１、１Ａ…映像装置
１０…信号処理部
１１…コンテンツ記録部
１２…モニタ
１３…設定部
１４…リモコン
１５…字幕解析部
１６…チャプタ生成部
１７…プレイリスト作成部
１８…チャプタ記録部
１９…制御部
２０…キーワード抽出部
【図１】
0006290046.tif 000002
【図２】
0006290046.tif 000003
【図３】
0006290046.tif 000004
【図４】
0006290046.tif 000005
【図５】
0006290046.tif 000006
【図６Ａ】
0006290046.tif 000007
【図６Ｂ】
0006290046.tif 000008
【図６Ｃ】
0006290046.tif 000009
【図７】
0006290046.tif 000010
【図８】
0006290046.tif 000011
【図９】
0006290046.tif 000012
【図１０】
0006290046.tif 000013
【図１１】
0006290046.tif 000014